(57)【特許請求の範囲】
【請求項１】
下階の鋼管コンクリート柱の頭部内に、キャピタル用の鉄筋を先組した柱主筋を挿入した後、鋼管の頭部にキャピタル用型枠を組立形成するとともに、該キャピタル用型枠内と鋼管内とにコンクリートを打設して、頂部にキャピタルを備えた下階柱を形成し、前記キャピタルの上面に上階柱の鋼管を建て込んだ後、各下階柱のキャピタル間にスラブ用型枠を組立形成し、該スラブ用型枠内にスラブ筋を配筋して下階柱のコンクリートよりも低強度のコンクリートを打設することを特徴とする鋼管コンクリート柱を用いたフラットスラブの構築方法。
【発明の詳細な説明】
【０００１】
【発明の属する技術分野】
本発明は鋼管コンクリート柱を用いたフラットスラブの構築方法である。
【０００２】
【従来の技術】
鋼管コンクリート柱を用いたフラットスラブは、図５に示すようなものがある。図中（１）はキャピタル２０とスラブ２１との鉄筋２２、２３が鋼管２４に貫通して配筋され、かつ鋼管２４周面の外周リング２５がキャピタル２０の下面に埋設されたフラットスラブ２６であり、（２）は鋼管２４周面のスタッドボルト２７がキャピタル２０に埋設されたフラットスラブ２８であり、（３）は鋼管２４周面の外周リング２５とリブプレート２９とがキャピタル２０に埋設されたフラットスラブ３０である。
【０００３】
【発明が解決しようとする課題】
しかし、上記のようなフラットスラブは、鋼管の孔開け加工、スタッドボルトの溶接施工、外周リングとリブプレートの溶接加工などの作業が必要になるという問題があった。また（２）および（３）のフラットスラブは、床荷重などの鉛直荷重が柱内のコンクリート部分に伝達するには鉄骨を介する必要があり、鋼管にスタッドを設けるなどの必要があった。
【０００４】
本発明は、このような問題に鑑みてなされたものであり、その目的は、余分な作業を必要とせず、床荷重などの鉛直荷重を直接柱に伝達できるフラットスラブの構築方法を提供することである。
【０００５】
【課題を解決するための手段】
以上の課題を解決するための鋼管コンクリート柱を用いたフラットスラブの構築方法は、下階の鋼管コンクリート柱の頭部内に、キャピタル用の鉄筋を先組した柱主筋を挿入した後、鋼管の頭部にキャピタル用型枠を組立形成するとともに、該キャピタル用型枠内と鋼管内とにコンクリートを打設して、頂部にキャピタルを備えた下階柱を形成し、前記キャピタルの上面に上階柱の鋼管を建て込んだ後、各下階柱のキャピタル間にスラブ用型枠を組立形成し、該スラブ用型枠内にスラブ筋を配筋して下階柱のコンクリートよりも低強度のコンクリートを打設することを特徴とする。
【００１２】
鋼管における溶接加工がないので、鋼管コンクリート柱を用いたフラットスラブが簡単に構築できるとともに、柱への力の伝達が円滑に行えるフラットスラブが構築できる。
【００１３】
【発明の実施の形態】
以下、本発明の鋼管コンクリート柱を用いたフラットスラブおよびその構築方法の実施の形態を図面に基づいて説明する。はじめに鋼管コンクリート柱を用いたフラットスラブ（以下、フラットスラブという）を説明し、その後にフラットスラブの構築方法を説明する。図１は第１の実施の形態のフラットスラブの縦断面図、図２は図１のＡ−Ａ線断面図である。
【００１４】
フラットスラブ１は鋼管コンクリート柱２を用いて形成されたものであり、下階の鉄筋コンクリート躯体から適宜間隔ごとに立設された下階の鋼管コンクリート柱（以下、下階柱という）３の頂部にキャピタル４が形成され、これらのキャピタル４間に形成されている。
【００１５】
下階柱３の鋼管５内には頂部におけるキャピタル４と同強度のコンクリート８が充填されている。このコンクリート８の強度はスラブとは別に設定する。またキャピタル４の上面にはスラブ９が形成されているとともに、下階柱３と同じ構成の上階の鋼管コンクリート柱（以下、上階柱という）１０が立設され、これらの下階柱３と上階柱１０との間にはキャピタル４を貫通して、帯筋６で結束された柱主筋７が配筋されている。すなわち、下階柱３と上階柱１０とはキャピタル４を挟んで一体的に接合され、該キャピタル４の鉄筋１１が下階柱３と上階柱１０との応力伝達区間を貫通して配筋され、キャピタル４自体が下階柱３と上階柱１０との一部になっている。したがって、上部躯体の荷重は上階柱１０から下階柱３に直接伝達されるとともに、スラブ９の荷重もキャピタル４から下階柱３に直接伝達されるようになっている。
【００１６】
図３は床荷重などの鉛直荷重の流れを模式的に表したものであり、図示するように、上階柱１０の鋼管５からの力は柱主筋７を通じて下階柱３の鋼管５へ伝達される。
【００１７】
以下、フラットスラブの構築方法を図４に基づいて説明する。はじめに、下階柱３の鋼管５を下階の鉄筋コンクリート躯体から適宜間隔ごとに建て込む。次に、これらの鋼管５頭部内に、キャピタル用の鉄筋１１を先組した柱主筋７を挿入する。次に、鋼管５の頭部にキャピタル用型枠１５を組立形成するとともに、該キャピタル用型枠１５内と鋼管５内とにコンクリート８を打設して、頂部にキャピタル４を備えた下階柱３を形成する。
【００１８】
このように頂部にキャピタル４を備えた下階柱３を形成した後に、前記キャピタル４の上面に上階柱１０の鋼管５を建て込む。次に、各下階柱３のキャピタル４間にスラブ用型枠１６を組立形成し、該スラブ用型枠１６内にスラブ筋１７を配筋して下階柱３のコンクリート８よりも低強度のコンクリート１８を打設してフラットスラブ１を構築する。すなわち、キャピタル４と、該キャピタル４とは異なる強度のコンクリート１８のスラブ９とが一体となったフラットスラブ１が構築される。そして、前記キャピタル４上面の鋼管５頭部内に柱主筋７を挿入して前記と同じ方法で上階のフラットスラブ（図示せず）を構築すると、下階柱３と上階柱１０とがキャピタル４によって一体となった構築物が完成する。
【００１９】
【発明の効果】
スラブや上階の鋼管コンクリート柱からの鉛直荷重が直接下階の鋼管コンクリート柱に伝達される。
【００２０】
キャピタルと下階の鋼管コンクリート柱とが一体的に形成される。
【００２１】
スラブやキャピタルから鋼管コンクリート柱へ力が円滑に伝達される。
【００２２】
鋼管における溶接加工などの余分な作業がないので、鋼管コンクリート柱を用いたフラットスラブが簡単に構築できるとともに、柱へ力の伝達が円滑に行えるフラットスラブが構築できる。
【００２３】
鋼管およびキャピタルのコンクリートと、スラブのコンクリートとは別強度のコンクリートを使用できるので、設計の自由度を上げることができる。
【図面の簡単な説明】
【図１】第１の実施の形態のフラットスラブの縦断面図である。
【図２】図１のＡ−Ａ線断面図である。
【図３】鉛直荷重の流れを表した模式図である。
【図４】（１９および（２）はフラットスラブの構築方法を示す断面図である。
【図５】（１）〜（３）は従来のフラットスラブの縦断面図である。
【符号の説明】
１、１２、２６、２８、３０  フラットスラブ
２  鋼管コンクリート柱
３  下階柱
４、２０  キャピタル
５、２４  鋼管
６  帯筋
７  柱主筋
８、１８  コンクリート
９、２１  スラブ
１０  上階柱
１１、２２、２３  鉄筋
１３  接合用台座
１５  キャピタル用型枠
１６  スラブ用型枠
１７  スラブ筋
２５  外周リング
２７  スタッドボルト
２９  リブプレート
【図１】
0003802996.tif 000002
【図２】
0003802996.tif 000003
【図３】
0003802996.tif 000004
【図４】
0003802996.tif 000005
【図５】
0003802996.tif 000006